(57)【要約】  本発明の実施例は、レポート送信方法、レポート受信方法、装置及びシステムを提供し、通信分野に関する。前記方法は、ＲＬＦが発生したときに、端末がＲＬＦレポートを生成することであって、ＲＬＦレポートはＲＬＦが発生したときに端末が位置する無線環境の関連情報を含むことと、端末がアクセスネットワーク装置から送信された端末情報リクエストを受信することであって、端末情報リクエストが端末によって生成されたＲＬＦレポートを取得することに用いられることと、端末がアクセスネットワーク装置へＲＬＦレポートを送信することとを含む。本発明の実施例によれば、アクセスネットワーク装置は、ＲＬＦレポートに基づき、ＲＬＦが発生したときの端末が位置する無線環境を識別することによって、後で無線環境に基づいてアクセスされた端末を最適化して管理し、端末のアクセス品質を向上できる。
2020519107.tif 000002
【特許請求の範囲】
【請求項１】
レポート送信方法であって、
無線リンク障害（ＲＬＦ）が発生したときに、端末がＲＬＦレポートを生成することであって、前記ＲＬＦレポートはＲＬＦが発生したときに前記端末が位置する無線環境の関連情報を含むことと、
前記端末がアクセスネットワーク装置から送信された端末情報リクエストを受信することであって、前記端末情報リクエストが前記端末によって生成された前記ＲＬＦレポートを取得することに用いられることと、
前記端末が前記アクセスネットワーク装置へ前記ＲＬＦレポートを送信することとを含むことを特徴とする、前記レポート送信方法。
【請求項２】
前記ＲＬＦレポートに接続状態識別子が含まれ、前記接続状態識別子は、ＲＬＦが発生したときの前記端末の無線環境での接続状態を示すことに用いられ、前記接続状態が中継接続状態と直接接続状態を含むことを特徴とする
請求項１に記載の方法。
【請求項３】
前記ＲＬＦレポートに第一の中継情報が含まれ、前記第一の中継情報は、ＲＬＦが発生する前に、前記端末にサービスする中継装置の情報を示すことに用いられることを特徴とする
請求項１又は２に記載の方法。
【請求項４】
前記第一の中継情報は、
前記サービスする中継装置のアドレス情報、
及び／又は、
前記端末のアドレス情報、
及び／又は、
前記サービスする中継装置と前記端末の間のリンクのリンク品質を示すための第一のリンク品質情報、
及び／又は、
前記サービスする中継装置と前記アクセスネットワーク装置の間のリンクのリンク品質を示すための第二のリンク品質情報を含むことを特徴とする
請求項３に記載の方法。
【請求項５】
前記ＲＬＦレポートに第二の中継情報が含まれ、前記第二の中継情報は、ＲＬＦが発生する前に、前記端末に対応する隣接中継装置の情報を示すことに用いられ、前記隣接中継装置が前記端末と隣接し、そして前記端末にサービスしないことを特徴とする
請求項１又は２に記載の方法。
【請求項６】
前記第二の中継情報は、第三のリンク品質情報を含み、前記第三のリンク品質情報が前記端末と各隣接中継装置の間のリンクのリンク品質を示すことに用いられることを特徴とする
請求項５に記載の方法。
【請求項７】
前記リンク品質は、基準信号受信電力（ＲＳＲＰ）及び／又は基準信号受信品質（ＲＳＲＱ）であることを特徴とする
請求項４又は６に記載の方法。
【請求項８】
前記方法はさらに、
前記端末が中継接続状態にある場合、前記端末が前記アクセスネットワーク装置に無線環境情報を報告することであって、前記無線環境情報が第一の無線環境情報と第二の無線環境情報を含むこととを含み、
ここで、前記第一の無線環境情報が前記端末と中継装置の接続状況を示すことに用いられ、前記第二の無線環境情報が中継装置とアクセスネットワーク装置の接続状況を示すことに用いられることを特徴とする
請求項１−７のいずれか一項に記載の方法。
【請求項９】
レポート受信方法であって、
アクセスネットワーク装置が端末へ端末情報リクエストを送信することであって、前記端末情報リクエストが前記端末によって生成された無線リンク障害（ＲＬＦ）レポートを取得することに用いられ、前記ＲＬＦレポートはＲＬＦが発生したときに前記端末が位置する無線環境の関連情報を含むことと、
前記アクセスネットワーク装置が前記端末から送信された前記ＲＬＦレポートを受信することとを含むことを特徴とする、前記レポート受信方法。
【請求項１０】
前記ＲＬＦレポートに接続状態識別子が含まれ、前記接続状態識別子はＲＬＦが発生したときの前記端末の無線環境での接続状態を示すことに用いられ、前記接続状態が中継接続状態と直接接続状態を含むことを特徴とする
請求項９に記載の方法。
【請求項１１】
前記ＲＬＦレポートに第一の中継情報が含まれ、前記第一の中継情報は、ＲＬＦが発生する前に、前記端末にサービスする中継装置の情報を示すことに用いられることを特徴とする
請求項９又は１０に記載の方法。
【請求項１２】
前記第一の中継情報は、
前記サービスする中継装置のアドレス情報、
及び／又は、
前記端末のアドレス情報、
及び／又は、
前記サービスする中継装置と前記端末の間のリンクのリンク品質を示すための第一のリンク品質情報、
及び／又は、
前記サービスする中継装置と前記アクセスネットワーク装置の間のリンクのリンク品質を示すための第二のリンク品質情報を含むことを特徴とする
請求項１１に記載の方法。
【請求項１３】
前記ＲＬＦレポートに第二の中継情報が含まれ、前記第二の中継情報は、ＲＬＦが発生する前に、前記端末に対応する隣接中継装置の情報を示すことに用いられ、前記隣接中継装置が前記端末と隣接し、そして前記端末にサービスしないことを特徴とする
請求項９又は１０に記載の方法。
【請求項１４】
前記第二の中継情報は、第三のリンク品質情報を含み、前記第三のリンク品質情報が前記端末と各隣接中継装置の間のリンクのリンク品質を示すことに用いられることを特徴とする
請求項１３に記載の方法。
【請求項１５】
前記リンク品質は、基準信号受信電力（ＲＳＲＰ）及び／又は基準信号受信品質（ＲＳＲＱ）であることを特徴とする
請求項１２又は１４に記載の方法。
【請求項１６】
前記方法はさらに、
前記アクセスネットワーク装置が無線環境情報を取得することであって、前記無線環境情報が中継接続状態にある各端末によって報告され、前記無線環境情報が第一の無線環境情報と第二の無線環境情報を含み、前記第一の無線環境情報が端末と中継装置の接続状況を示すことに用いられ、前記第二の無線環境情報が中継装置とアクセスネットワーク装置の接続状況を示すことに用いられることと、
前記アクセスネットワーク装置が前記ＲＬＦレポートと前記無線環境情報に基づき、端末が位置する無線環境の類似度を計算することと、
前記類似度が閾値より大きい場合、前記アクセスネットワーク装置が前記端末に中継装置を新たに割り当てることとを含むことを特徴とする
請求項９−１５のいずれか一項に記載の方法。
【請求項１７】
レポート送信装置であって、
無線リンク障害（ＲＬＦ）が発生したときに、ＲＬＦレポートを生成するように構成されるレポート生成ユニットであって、前記ＲＬＦレポートに、ＲＬＦが発生したときの前記端末が位置する無線環境の関連情報が含まれるレポート生成ユニットと、
アクセスネットワーク装置から送信された端末情報リクエストを受信するように構成されるリクエスト受信ユニットであって、前記端末情報リクエストが前記端末によって生成された前記ＲＬＦレポートを取得することに用いられるリクエスト受信ユニットと、
前記アクセスネットワーク装置へ前記ＲＬＦレポートを送信するように構成されるレポート送信ユニットとを備えることを特徴とする、前記レポート送信装置。
【請求項１８】
前記ＲＬＦレポートに接続状態識別子が含まれ、前記接続状態識別子はＲＬＦが発生したときの前記端末の無線環境での接続状態を示すことに用いられ、前記接続状態が中継接続状態と直接接続状態を含むことを特徴とする
請求項１７に記載の装置。
【請求項１９】
前記ＲＬＦレポートに第一の中継情報が含まれ、前記第一の中継情報は、ＲＬＦが発生する前に、前記端末にサービスする中継装置の情報を示すことに用いられることを特徴とする
請求項１７又は１８に記載の装置。
【請求項２０】
前記第一の中継情報は、
前記サービスする中継装置のアドレス情報、
及び／又は、
前記端末のアドレス情報、
及び／又は、
前記サービスする中継装置と前記端末の間のリンクのリンク品質を示すための第一のリンク品質情報、
及び／又は、
前記サービスする中継装置と前記アクセスネットワーク装置の間のリンクのリンク品質を示すための第二のリンク品質情報を含むことを特徴とする
請求項１９に記載の装置。
【請求項２１】
前記ＲＬＦレポートに第二の中継情報が含まれ、前記第二の中継情報は、ＲＬＦが発生する前に、前記端末に対応する隣接中継装置の情報を示すことに用いられ、前記隣接中継装置が前記端末と隣接し、そして前記端末にサービスしないことを特徴とする
請求項１７又は１８に記載の装置。
【請求項２２】
前記第二の中継情報は、第三のリンク品質情報を含み、前記第三のリンク品質情報が前記端末と各隣接中継装置の間のリンクのリンク品質を示すことに用いられることを特徴とする
請求項２１に記載の装置。
【請求項２３】
前記リンク品質は、基準信号受信電力（ＲＳＲＰ）及び／又は基準信号受信品質（ＲＳＲＱ）であることを特徴とする
請求項２０又は２２に記載の装置。
【請求項２４】
前記装置はさらに、
前記端末が中継接続状態にある場合、前記アクセスネットワーク装置に無線環境情報を報告するように構成される情報報告ユニットであって、前記無線環境情報が第一の無線環境情報と第二の無線環境情報を含む情報報告ユニットを備え、
ここで、前記第一の無線環境情報が前記端末と中継装置の接続状況を示すことに用いられ、前記第二の無線環境情報が中継装置とアクセスネットワーク装置の接続状況を示すことに用いられることを特徴とする
請求項１７−２３のいずれか一項に記載の装置。
【請求項２５】
レポート受信装置であって、
端末へ端末情報リクエストを送信するように構成されるリクエスト送信ユニットであって、前記端末情報リクエストが前記端末によって生成された無線リンク障害（ＲＬＦ）レポートを取得することに用いられ、前記ＲＬＦレポートに、ＲＬＦが発生したときの前記端末が位置する無線環境の関連情報が含まれるリクエスト送信ユニットと、
前記端末から送信された前記ＲＬＦレポートを受信するように構成されるレポート受信ユニットとを備えることを特徴とする、前記レポート受信装置。
【請求項２６】
前記ＲＬＦレポートに接続状態識別子が含まれ、前記接続状態識別子はＲＬＦが発生したときの前記端末の無線環境での接続状態を示すことに用いられ、前記接続状態が中継接続状態と直接接続状態を含むことを特徴とする
請求項２５に記載の装置。
【請求項２７】
前記ＲＬＦレポートに第一の中継情報が含まれ、前記第一の中継情報は、ＲＬＦが発生する前に、前記端末にサービスする中継装置の情報を示すことに用いられることを特徴とする
請求項２５又は２６に記載の装置。
【請求項２８】
前記第一の中継情報は、
前記サービスする中継装置のアドレス情報、
及び／又は、
前記端末のアドレス情報、
及び／又は、
前記サービスする中継装置と前記端末の間のリンクのリンク品質を示すための第一のリンク品質情報、
及び／又は、
前記サービスする中継装置と前記アクセスネットワーク装置の間のリンクのリンク品質を示すための第二のリンク品質情報を含むことを特徴とする
請求項２７に記載の装置。
【請求項２９】
前記ＲＬＦレポートに第二の中継情報が含まれ、前記第二の中継情報は、ＲＬＦが発生する前に、前記端末に対応する隣接中継装置の情報を示すことに用いられ、前記隣接中継装置が前記端末と隣接し、そして前記端末にサービスしないことを特徴とする
請求項２５又は２６に記載の装置。
【請求項３０】
前記第二の中継情報は、第三のリンク品質情報を含み、前記第三のリンク品質情報が前記端末と各隣接中継装置の間のリンクのリンク品質を示すことに用いられることを特徴とする
請求項２９に記載の装置。
【請求項３１】
前記リンク品質は、基準信号受信電力（ＲＳＲＰ）及び／又は基準信号受信品質（ＲＳＲＱ）であることを特徴とする
請求項２８又は３０に記載の装置。
【請求項３２】
前記装置はさらに、
無線環境情報を取得するように構成される情報取得ユニットであって、前記無線環境情報が中継接続状態にある各端末によって報告され、前記無線環境情報が第一の無線環境情報と第二の無線環境情報を含み、前記第一の無線環境情報が端末と中継装置の接続状況を示すことに用いられ、前記第二の無線環境情報が中継装置とアクセスネットワーク装置の接続状況を示すことに用いられる情報取得ユニットと、
前記ＲＬＦレポートと前記無線環境情報に基づき、端末が位置する無線環境の類似度を計算するように構成される計算ユニットと、
前記類似度が閾値より大きい場合、前記端末に中継装置を新たに割り当てるように構成される割り当てユニットとを備えることを特徴とする
請求項２５−３１のいずれか一項に記載の装置。
【請求項３３】
端末であって、
無線リンク障害（ＲＬＦ）が発生したときに、ＲＬＦレポートを生成するように構成されるプロセッサであって、前記ＲＬＦレポートはＲＬＦが発生したときに前記端末が位置する無線環境の関連情報を含むプロセッサと、
アクセスネットワーク装置から送信された端末情報リクエストを受信するように構成される受信機であって、前記端末情報リクエストが前記端末によって生成された前記ＲＬＦレポートを取得することに用いられる受信機と、
前記アクセスネットワーク装置へ前記ＲＬＦレポートを送信するように構成される送信機とを備えることを特徴とする、前記端末。
【請求項３４】
前記ＲＬＦレポートに接続状態識別子が含まれ、前記接続状態識別子はＲＬＦが発生したときの前記端末の無線環境での接続状態を示すことに用いられ、前記接続状態が中継接続状態と直接接続状態を含むことを特徴とする
請求項３３に記載の端末。
【請求項３５】
前記ＲＬＦレポートに第一の中継情報が含まれ、前記第一の中継情報は、ＲＬＦが発生する前に、前記端末にサービスする中継装置の情報を示すことに用いられることを特徴とする
請求項３３又は３４に記載の端末。
【請求項３６】
前記第一の中継情報は、
前記サービスする中継装置のアドレス情報、
及び／又は、
前記端末のアドレス情報、
及び／又は、
前記サービスする中継装置と前記端末の間のリンクのリンク品質を示すための第一のリンク品質情報、
及び／又は、
前記サービスする中継装置と前記アクセスネットワーク装置の間のリンクのリンク品質を示すための第二のリンク品質情報を含むことを特徴とする
請求項３５に記載の端末。
【請求項３７】
前記ＲＬＦレポートに第二の中継情報が含まれ、前記第二の中継情報は、ＲＬＦが発生する前に、前記端末に対応する隣接中継装置の情報を示すことに用いられ、前記隣接中継装置が前記端末と隣接し、そして前記端末にサービスしないことを特徴とする
請求項３３又は３４に記載の端末。
【請求項３８】
前記第二の中継情報は、第三のリンク品質情報を含み、前記第三のリンク品質情報が前記端末と各隣接中継装置の間のリンクのリンク品質を示すことに用いられることを特徴とする
請求項３７に記載の端末。
【請求項３９】
前記リンク品質は、基準信号受信電力（ＲＳＲＰ）及び／又は基準信号受信品質（ＲＳＲＱ）であることを特徴とする
請求項３６又は３８に記載の端末。
【請求項４０】
前記送信機はさらに、
前記端末が中継接続状態にある場合、前記アクセスネットワーク装置に無線環境情報を報告するように構成され、前記無線環境情報が第一の無線環境情報と第二の無線環境情報を含み、
ここで、前記第一の無線環境情報が前記端末と中継装置の接続状況を示すことに用いられ、前記第二の無線環境情報が中継装置とアクセスネットワーク装置の接続状況を示すことに用いられることを特徴とする
請求項３３−３９のいずれか一項に記載の端末。
【請求項４１】
アクセスネットワーク装置であって、
端末へ端末情報リクエストを送信するように構成される送信機であって、前記端末情報リクエストが前記端末によって生成された無線リンク障害（ＲＬＦ）レポートを取得することに用いられ、前記ＲＬＦレポートはＲＬＦが発生したときに前記端末が位置する無線環境の関連情報を含む送信機と、
前記端末から送信された前記ＲＬＦレポートを受信するように構成される受信機とを備えることを特徴とする、前記アクセスネットワーク装置。
【請求項４２】
前記ＲＬＦレポートに接続状態識別子が含まれ、前記接続状態識別子はＲＬＦが発生したときの前記端末の無線環境での接続状態を示すことに用いられ、前記接続状態が中継接続状態と直接接続状態を含むことを特徴とする
請求項４１に記載のアクセスネットワーク装置。
【請求項４３】
前記ＲＬＦレポートに第一の中継情報が含まれ、前記第一の中継情報は、ＲＬＦが発生する前に、前記端末にサービスする中継装置の情報を示すことに用いられることを特徴とする
請求項４１又は４２に記載のアクセスネットワーク装置。
【請求項４４】
前記第一の中継情報は、
前記サービスする中継装置のアドレス情報、
及び／又は、
前記端末のアドレス情報、
及び／又は、
前記サービスする中継装置と前記端末の間のリンクのリンク品質を示すための第一のリンク品質情報、
及び／又は、
前記サービスする中継装置と前記アクセスネットワーク装置の間のリンクのリンク品質を示すための第二のリンク品質情報を含むことを特徴とする
請求項４３に記載のアクセスネットワーク装置。
【請求項４５】
前記ＲＬＦレポートに第二の中継情報が含まれ、前記第二の中継情報は、ＲＬＦが発生する前に、前記端末に対応する隣接中継装置の情報を示すことに用いられ、前記隣接中継装置が前記端末と隣接し、そして前記端末にサービスしないことを特徴とする
請求項４１又は４２に記載のアクセスネットワーク装置。
【請求項４６】
前記第二の中継情報は、第三のリンク品質情報を含み、前記第三のリンク品質情報が前記端末と各隣接中継装置の間のリンクのリンク品質を示すことに用いられることを特徴とする
請求項４５に記載のアクセスネットワーク装置。
【請求項４７】
前記リンク品質は、基準信号受信電力（ＲＳＲＰ）及び／又は基準信号受信品質（ＲＳＲＱ）であることを特徴とする
請求項４４又は４６に記載のアクセスネットワーク装置。
【請求項４８】
プロセッサはさらに、
無線環境情報を取得し、前記無線環境情報が中継接続状態にある各端末によって報告され、前記無線環境情報が第一の無線環境情報と第二の無線環境情報を含み、前記第一の無線環境情報が端末と中継装置の接続状況を示すことに用いられ、前記第二の無線環境情報が中継装置とアクセスネットワーク装置の接続状況を示すことに用いられ、
前記ＲＬＦレポートと前記無線環境情報に基づき、端末が位置する無線環境の類似度を計算し、
前記類似度が閾値より大きい場合、前記端末に中継装置を新たに割り当てるように構成されることを特徴とする
請求項４２−４７のいずれか一項に記載のアクセスネットワーク装置。
【請求項４９】
移動通信システムであって、端末とアクセスネットワーク装置を備え、
前記端末が請求項１７〜２４のいずれか一項に記載のメッセージ送信装置を含み、
前記アクセスネットワーク装置が請求項２５〜３２のいずれか一項に記載のメッセージ受信装置を含むことを特徴とする、前記移動通信システム。
【請求項５０】
移動通信システムであって、端末とアクセスネットワーク装置を備え、
前記端末が請求項３３〜４０のいずれか一項に記載の端末を含み、
前記アクセスネットワーク装置が請求項４１〜４８のいずれか一項に記載のアクセスネットワーク装置を含むことを特徴とする、前記移動通信システム。
【発明の詳細な説明】
【技術分野】
【０００１】
本発明の実施例は通信分野に関し、特にレポート送信方法、レポート受信方法、装置及びシステムに関する。
【背景技術】
【０００２】
長期進化（ＬＴＥ：Ｌｏｎｇ−Ｔｅｒｍ  Ｅｖｏｌｕｔｉｏｎ）システムでは、端末と基地局は無線リンク（ＲＬ：Ｒａｄｉｏ  Ｌｉｎｋ）を介して通信する。
【０００３】
ＲＬ品質が良くなく又は悪くなる場合、端末は無線リンク障害（ＲＬＦ：Ｒａｄｉｏ  Ｌｉｎｋ  Ｆａｉｌｕｒｅ）メカニズムをトリガし、基地局と無線リソース制御接続再確立（ＲＲＣ  ｃｏｎｎｅｃｔｉｏｎ  ｒｅ−ｅｓｔａｂｌｉｓｈｍｅｎｔ）を行い、接続が再確立された後、無線リソース制御接続再確立完了（ＲＲＣＣｏｎｎｅｃｔｉｏｎＲｅｅｓｔａｂｌｉｓｈｍｅｎｔＣｏｍｐｌｅｔｅ）メッセージで、端末側にＲＬＦレポートが記憶されていることを識別する。基地局は、該ＲＬＦレポートからＲＬＦの発生理由を取得するように、端末情報リクエスト（ＵＥＩｎｆｏｒｍａｔｉｏｎＲｅｑｕｅｓｔ）を送信することで、ＲＬＦレポートを報告するように端末にリクエストする。
【０００４】
スペクトルリソースの利用率とネットワーク容量を向上させるために、無線通信システムにデバイスツデバイス（Ｄ２Ｄ：Ｄｅｖｉｃｅ−ｔｏ−Ｄｅｖｉｃｅ）技術が導入され、この技術により、端末は基地局と直接通信を行うことができるだけでなく、リピータを介して基地局と通信することができる。しかしながら、上記ＲＬＦメカニズムは、端末が基地局に直接接続しているシーンのみに適用し、端末がリピータに接続しているシーンに適用できない。
【発明の概要】
【発明が解決しようとする課題】
【０００５】
関連技術における端末がリピータに接続しているシーンに適用できない問題を解決するために、本発明の実施例は、レポート送信方法、レポート受信方法、装置及びシステムを提供する。前記技術的解決策は以下のとおりである。
【課題を解決するための手段】
【０００６】
本発明の実施例の第一の態様によるレポート送信方法は、
ＲＬＦが発生したときに、端末がＲＬＦレポートを生成することであって、前記ＲＬＦレポートはＲＬＦが発生したときに前記端末が位置する無線環境の関連情報を含むことと、
前記端末がアクセスネットワーク装置から送信された端末情報リクエストを受信することであって、前記端末情報リクエストが前記端末によって生成された前記ＲＬＦレポートを取得することに用いられることと、
前記端末が前記アクセスネットワーク装置へ前記ＲＬＦレポートを送信することとを含む。
【０００７】
選択可能な実施例では、前記ＲＬＦレポートに接続状態識別子が含まれ、前記接続状態識別子はＲＬＦが発生したときの前記端末の無線環境での接続状態を示すことに用いられ、前記接続状態が中継接続状態と直接接続状態を含む。
【０００８】
選択可能な実施例では、前記ＲＬＦレポートに第一の中継情報が含まれ、前記第一の中継情報は、ＲＬＦが発生する前に、前記端末にサービスする中継装置の情報を示すことに用いられる。
【０００９】
選択可能な実施例では、前記第一の中継情報は、
前記サービスする中継装置のアドレス情報、
及び／又は、
前記端末のアドレス情報、
及び／又は、
前記サービスする中継装置と前記端末の間のリンクのリンク品質を示すための第一のリンク品質情報、
及び／又は、
前記サービスする中継装置と前記アクセスネットワーク装置の間のリンクのリンク品質を示すための第二のリンク品質情報を含む。
【００１０】
選択可能な実施例では、前記ＲＬＦレポートに第二の中継情報が含まれ、前記第二の中継情報は、ＲＬＦが発生する前に、前記端末に対応する隣接中継装置の情報を示すことに用いられ、前記隣接中継装置が前記端末と隣接し、そして前記端末にサービスしない。
【００１１】
選択可能な実施例では、前記第二の中継情報は、第三のリンク品質情報を含み、前記第三のリンク品質情報が前記端末と各隣接中継装置の間のリンクのリンク品質を示すことに用いられる。
【００１２】
選択可能な実施例では、前記リンク品質は、基準信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）及び／又は基準信号受信品質（ＲＳＲＱ：Ｒｅｆｅｒｅｎｃｅ  Ｓｉｇｎａｌ  Ｒｅｃｅｉｖｉｎｇ  Ｑｕａｌｉｔｙ）である。
【００１３】
選択可能な実施例では、前記方法はさらに、
前記端末が中継接続状態にある場合、前記端末が前記アクセスネットワーク装置に無線環境情報を報告することであって、前記無線環境情報が第一の無線環境情報と第二の無線環境情報を含むことを含み、
ここで、前記第一の無線環境情報が前記端末と中継装置の接続状況を示すことに用いられ、前記第二の無線環境情報が中継装置とアクセスネットワーク装置の接続状況を示すことに用いられる。
【００１４】
本発明の実施例の第二の態様によるレポート受信方法は、
アクセスネットワーク装置が端末へ端末情報リクエストを送信することであって、前記端末情報リクエストが前記端末によって生成された無線リンク障害（ＲＬＦ）レポートを取得することに用いられ、前記ＲＬＦレポートに、ＲＬＦが発生したときの前記端末が位置する無線環境の関連情報が含まれることと、
前記アクセスネットワーク装置が前記端末から送信された前記ＲＬＦレポートを受信することとを含む。
【００１５】
選択可能な実施例では、前記ＲＬＦレポートに接続状態識別子が含まれ、前記接続状態識別子はＲＬＦが発生したときの前記端末の無線環境での接続状態を示すことに用いられ、前記接続状態が中継接続状態と直接接続状態を含む。
【００１６】
選択可能な実施例では、前記ＲＬＦレポートに第一の中継情報が含まれ、前記第一の中継情報は、ＲＬＦが発生する前に、前記端末にサービスする中継装置の情報を示すことに用いられる。
【００１７】
選択可能な実施例では、前記第一の中継情報は、
前記サービスする中継装置のアドレス情報、
及び／又は、
前記端末のアドレス情報、
及び／又は、
前記サービスする中継装置と前記端末の間のリンクのリンク品質を示すための第一のリンク品質情報、
及び／又は、
前記サービスする中継装置と前記アクセスネットワーク装置の間のリンクのリンク品質を示すための第二のリンク品質情報を含む。
【００１８】
選択可能な実施例では、前記ＲＬＦレポートに第二の中継情報が含まれ、前記第二の中継情報は、ＲＬＦが発生する前に、前記端末に対応する隣接中継装置の情報を示すことに用いられ、前記隣接中継装置が前記端末と隣接し、そして前記端末にサービスしない。
【００１９】
選択可能な実施例では、前記第二の中継情報は、第三のリンク品質情報を含み、前記第三のリンク品質情報が前記端末と各隣接中継装置の間のリンクのリンク品質を示すことに用いられる。
【００２０】
選択可能な実施例では、前記リンク品質はＲＳＲＰ及び／又はＲＳＲＱである。
【００２１】
選択可能な実施例では、前記方法はさらに、
前記アクセスネットワーク装置が無線環境情報を取得することであって、前記無線環境情報が中継接続状態にある各端末によって報告され、前記無線環境情報が第一の無線環境情報と第二の無線環境情報を含み、前記第一の無線環境情報が端末と中継装置の接続状況を示すことに用いられ、前記第二の無線環境情報が中継装置とアクセスネットワーク装置の接続状況を示すことに用いられることと、
前記アクセスネットワーク装置が前記ＲＬＦレポートと前記無線環境情報に基づき、端末が位置する無線環境の類似度を計算することと、
前記類似度が閾値より大きい場合、前記アクセスネットワーク装置が前記端末に中継装置を新たに割り当てることとを含む。
【００２２】
本発明の実施例の第三の態様によるレポート送信装置は、上記第一の態様又は第一の態様におけるいずれかの可能な実施形態で提供されるレポート送信方法を実現するための少なくとも一つのユニットを備える。
【００２３】
本発明の実施例の第四の態様によるレポート受信装置は、上記第二の態様又は第二の態様におけるいずれかの可能な実施形態で提供されるレポート受信方法を実現するための少なくとも一つのユニットを備える。
【００２４】
本発明の実施例の第五の態様による端末は、プロセッサ、メモリ、送信機と受信機を備え、前記メモリが一つ又は一つ以上の命令を記憶するように構成され、前記命令が前記プロセッサによって実行されるように示され、前記プロセッサが前記送信機と前記受信機を制御し、上記第一の態様又は第一の態様におけるいずれかの可能な実施形態で提供されるレポート送信方法を実現するように構成される。
【００２５】
本発明の実施例の第六の態様によるアクセスネットワーク装置は、プロセッサ、メモリ、送信機と受信機を備え、前記メモリが一つ又は一つ以上の命令を記憶するように構成され、前記命令が前記プロセッサによって実行されるように示され、前記プロセッサが前記送信機と前記受信機を制御し、上記第二の態様又は第二の態様におけるいずれかの可能な実施形態で提供されるレポート受信方法を実現するように構成される。
【００２６】
本発明の実施例の第七の態様による移動通信システムは、端末とアクセスネットワーク装置を備え、
前記端末が第三の態様に記載されるレポート送信装置を含み、
前記アクセスネットワーク装置が第四の態様に記載されるレポート受信装置を含む。
【００２７】
本発明の実施例の第七の態様による移動通信システムは、端末とアクセスネットワーク装置を備え、
前記端末が第五の態様に記載される端末を含み、
前記アクセスネットワーク装置が第六の態様に記載されるアクセスネットワーク装置を含む。
【００２８】
本発明の実施例の第九の態様によるコンピュータ可読媒体は、上記第一の態様又は第一の態様におけるいずれかの可能な実施形態で提供されるレポート送信方法を実行するための一つ又は一つ以上の命令を記憶する。
【００２９】
本発明の実施例の第十の態様によるコンピュータ可読媒体は、上記第二の態様又は第二の態様におけるいずれかの可能な実施形態で提供されるレポート受信方法を実行するための一つ又は一つ以上の命令を記憶する。
【発明の効果】
【００３０】
本発明の実施例によって提供される技術的解決策の有益な効果は以下のとおりである：
端末はＲＬＦが発生した後、ＲＬＦが発生したときの端末が位置する無線環境を示すためのＲＬＦレポートを生成し、アクセスネットワーク装置から送信された端末情報リクエストに応じて、該ＲＬＦレポートをアクセスネットワーク装置に送信し、これにより、アクセスネットワーク装置は、後で該無線環境に基づいて他のアクセスされた端末を最適化して管理できるように、該ＲＬＦレポートに基づき、ＲＬＦが発生したときの端末が位置する無線環境を識別することができて、端末のアクセス品質を向上させる。
【図面の簡単な説明】
【００３１】
【図１】本発明の一つの実施例による移動通信システムの構造図である。
【図２】本発明の一つの実施例によるレポート送信方法のフローチャートである。
【図３】本発明の一つの実施例によるレポート送信方法のフローチャートである。
【図４】本発明の一つの実施例による移動通信システムの構造図である。
【図５】本発明の一つの実施例によるレポート送信装置の構造図である。
【図６】本発明の一つの実施例によるレポート受信装置の構造図である。
【図７】本発明の一つの例示的な実施例による端末の構造図である。
【図８】本発明の一つの例示的な実施例によるアクセスネットワーク装置の構造図である。
【発明を実施するための形態】
【００３２】
本発明の実施例における技術的解決策をより明確に説明するために、以下に実施例の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００３３】
本発明の目的、技術的解決策と利点をより明確にするために、以下に図面と組み合わせて本発明の実施形態をさらに詳しく説明する。
【００３４】
本明細書で言及される「モジュール」は一般的にメモリに記憶された、いくつかの機能を実行できるプログラム又は命令を指し、本明細書で言及される「ユニット」は一般的に論理的に分けられる機能構造を指し、該「ユニット」は純粋なハードウェア、又は、ソフトウェアとハードウェアの組み合わせで実現されてもよい。
【００３５】
本明細書で言及される「複数」は２つ又は２つ以上を意味する。「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。文字「／」は、一般的に前後にある関連オブジェクトが「又は」の関係であることを示す。
【００３６】
図１を参照し、それが本発明の一つの実施例による移動通信システムの構造図である。該移動通信システムはＬＴＥシステムであってもよく、又は、該移動通信システムはさらに新しいエアインタフェース（ＮＲ：Ｎｅｗ  Ｒａｄｉｏ）システムとも呼ばれる５Ｇシステムであってもよい。該移動通信システムはアクセスネットワーク装置１２０、中継装置１４０と端末１６０を備える。
【００３７】
アクセスネットワーク装置１２０は基地局であってもよく、該基地局が受信された無線フレームとＩＰパケットメッセージを相互に変換することに用いられてもよく、またエアインタフェーススに対する属性管理を協調することもできる。例えば、基地局はＬＴＥにおける進化型基地局（ｅＮＢ又はｅ−ＮｏｄｅＢ：ｅｖｏｌｕｔｉｏｎａｌ  Ｎｏｄｅ  Ｂ）、又は、５Ｇシステムにおける集中分散型アーキテクチャを用いた基地局であってもよい。アクセスネットワーク装置１２０は集中分散型アーキテクチャを用いる場合、一般的に集中ユニット（ＣＵ：ｃｅｎｔｒａｌ  ｕｎｉｔ）と少なくとも２つの分散ユニット（ＤＵ：ｄｉｓｔｒｉｂｕｔｅｄ  ｕｎｉｔ）を含む。集中ユニットにパケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク層制御プロトコル（ＲＬＣ：Ｒａｄｉｏ  Ｌｉｎｋ  Ｃｏｎｔｒｏｌ）層、メディアアクセス制御（ＭＡＣ：Ｍｅｄｉａ  Ａｃｃｅｓｓ  Ｃｏｎｔｒｏｌ）層のプロトコルスタックが設定され、分散ユニットに物理層（Ｐｈｙｓｉｃａｌ、ＰＨＹ）のプロトコルスタックが設定され、本発明の実施例ではアクセスネットワーク装置１２０の具体的な実施形態が限定されない。
【００３８】
中継装置１４０とアクセスネットワーク装置１２０は無線エアインタフェースを介して無線接続を確立する。例えば、ＬＴＥシステムでは、該無線エアインタフェースはＵｕインタフェースである。選択可能に、中継装置１４０はさらに第５世代の移動通信ネットワーク技術（５Ｇ）基準、又は５Ｇの次世代の移動通信ネットワーク技術基準に基づく無線エアインタフェースを介してアクセスネットワーク装置１２０にアクセスすることができ、本発明はこれに限定されない。
【００３９】
中継装置１４０は中継（ｒｅｌａｙ）機能を有する装置である。本発明の実施例では、中継装置１４０は端末１６０とアクセスネットワーク装置１２０の間のリピータとして、Ｄ２Ｄ基準に準拠したインタフェースス、例えばＰＣ５インタフェースを有する。該インタフェースにより、中継装置１４０は隣接する装置と無線通信を行うことができる。例えば、該中継装置１４０はＰＣ５中継端末（ＰＣ５  ｒｅｌａｙ  ＵＥ）である。
【００４０】
端末１６０はユーザに音声及び／又はデータ接続性を提供するための装置であってもよく、端末１６０はさらに遠隔端末（ｒｅｍｏｔｅ  ＵＥ）と呼ばれてもよい。端末１６０は無線アクセスネットワーク（ＲＡＮ：Ｒａｄｉｏ  Ａｃｃｅｓｓ  Ｎｅｔｗｏｒｋ）を介して一つ又は一つ以上のコアネットワークと通信を行うことができ、端末１６０は移動端末例えば移動電話（又は「セルラー」電話と呼ばれる）と移動端末を備えたコンピュータであってもよく、例えば、ポータブル型、ポケット型、ハンドヘルド型、コンピュータ内蔵型又は車載移動装置であってもよい。例えば、それは、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動ステーション（Ｍｏｂｉｌｅ  Ｓｔａｔｉｏｎ）、移動局、遠隔ステーション（Ｒｅｍｏｔｅ  Ｓｔａｔｉｏｎ）、アクセスポイント（Ａｃｃｅｓｓ  Ｐｏｉｎｔ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ装置（Ｕｓｅｒ  Ｔｅｒｍｉｎａｌ）、ユーザエージェント（Ｕｓｅｒ  Ａｇｅｎｔ）、ユーザ装置（Ｕｓｅｒ  Ｄｅｖｉｃｅ）、又はユーザ端末（Ｕｓｅｒ  Ｅｑｕｉｐｍｅｎｔ）である。
【００４１】
本発明の実施例では、端末１６０は、Ｄ２Ｄ基準に準拠したインタフェースス、例えばＰＣ５インタフェースを有する。該インタフェースにより、端末１６０は隣接する中継装置１４０と無線通信を行うことができる。そして、アクセスネットワーク装置１２０に中継装置１４０と端末１６０の間のコンテキスト情報（ｃｏｎｔｅｘｔ）が保存される。
【００４２】
本発明の各実施例によるレポート送信方法とレポート受信方法は、端末１６０が中継接続状態（中継装置１４０を介してアクセスネットワーク装置１２０と通信する）においてＲＬＦが発生し、直接接続状態においてアクセスネットワーク装置１２０と接続を再確立し、アクセスネットワーク装置１２０にＲＬＦレポートを提供するシーンに用いられる。
【００４３】
説明すべきものとして、図１に示す移動通信システムは、複数のアクセスネットワーク装置１２０、及び／又は複数の中継装置１４０、及び／又は複数の端末１６０を備えることができるが、本実施例ではアクセスネットワーク装置、中継装置及び端末の数が限定されない。
【００４４】
図２を参照し、それが本発明の一つの実施例によるレポート送信方法のフローチャートである。本実施例は該レポート送信方法が図１に示す移動通信システムに応用されることを例として説明する。該方法は以下を含む。
【００４５】
ステップ２０１において、ＲＬＦが発生したときに、端末は、ＲＬＦレポートを生成し、ＲＬＦレポートはＲＬＦが発生したときに端末が位置する無線環境の関連情報を含む。
【００４６】
従来技術における端末によって生成されたＲＬＦレポートと異なり、本発明の実施例では、端末によって生成されたＲＬＦレポートにＲＬＦの発生理由（ｒｌｆ−Ｃａｕｓｅ）だけでなく、ＲＬＦが発生したときの端末が位置する無線環境を記述するための関連情報が含まれる。
【００４７】
選択可能に、無線環境の関連情報に接続状態識別子が含まれ、該接続状態識別子はＲＬＦが発生したときの前記端末の無線環境での接続状態を示すことに用いられ、該接続状態が中継接続状態と直接接続状態を含む。
【００４８】
一つの例示的な実施例では、ＬＴＥシステムにおいて、端末がアクセスネットワーク装置に直接接続する場合、該直接接続状態は即ちＵｕ直接接続状態であり、端末が中継装置を介してアクセスネットワーク装置と中継によって接続する場合、該中継接続状態は即ちＰＣ５中継接続状態である。異なる通信システムでは、中継接続状態と直接接続状態は異なる説明方式を用いることができるが、本発明はこれに限定されない。
【００４９】
一つの可能な実施形態では、ＲＬＦレポートに接続状態識別子を記憶して搬送するためのプリセットフィールドが含まれ、ＲＬＦレポートにおける該プリセットフィールドの位置はアクセスネットワーク装置で予め定められる。ＲＬＦレポートを生成する時に、端末は対応する接続状態識別子を該プリセットフィールドに書き込む。例えば、端末が中継接続状態においてＲＬＦが発生したときに、端末は該プリセットフィールドの接続状態識別子を１に設定し、端末が直接接続状態においてＲＬＦが発生したときに、端末は該プリセットフィールドの接続状態識別子を０に設定する。
【００５０】
端末がＲＬＦレポートを生成するタイミングに対して、一つの可能な実施形態では、直接接続状態において、Ｔ３１０タイムアウトが発生する（端末が非同期状態からリアルタイムに回復しない）場合、又は、Ｔ３２０タイムアウトが発生する（端末が非同期状態からリアルタイムに回復しなく、そして測定レポートが送信された）場合、又は、ランダムアクセスが失敗する場合、又は、無線接続制御（ＲＬＣ：Ｒａｄｉｏ  Ｌｉｎｋ  Ｃｏｎｔｒｏｌ）再送信が失敗する場合、端末はＲＬＦが発生することを確定し、端末が直接接続状態においてＲＬＦが発生することを示すためのＲＬＦレポートを生成する。
【００５１】
別の可能な実施形態では、中継接続状態において、ＲＬＣ再送信失敗が発生したときに、又は、中継装置からアクセスネットワーク装置までのリンクのリンク品質が悪くなることを検出した場合、又は、アクセスネットワーク装置とのリンクのリンク品質が悪くなることを検出した場合、端末はＲＬＦが発生することを確定し、端末が中継接続状態においてＲＬＦが発生することを示すためのＲＬＦレポートを生成する。
【００５２】
選択可能に、端末が中継接続状態においてＲＬＦが発生したときに、ＲＬＦレポートに接続状態識別子が含まれるとともに、ＲＬＦが発生する前に、端末にサービスする中継装置の中継情報、及び／又は、端末が位置する無線環境での他の中継装置（サービスしない中継装置）の中継情報が含まれてもよい。
【００５３】
ステップ２０２において、アクセスネットワーク装置は端末へ端末情報リクエストを送信し、端末情報リクエストが端末によって生成されたＲＬＦレポートを取得することに用いられる。
【００５４】
端末はＲＬＦが発生することを確定した後、アクセスネットワーク装置と無線リソース制御接続再確立を行う。
【００５５】
一つの可能な実施形態では、端末は中継接続状態においてＲＬＦが発生し、直接接続状態においてアクセスネットワーク装置と接続を再確立し、又は、端末は中継接続状態においてＲＬＦが発生し、中継接続状態においてアクセスネットワーク装置と接続を再確立し、又は、端末は直接接続状態においてＲＬＦが発生し、中継接続状態においてアクセスネットワーク装置と接続を再確立し、又は、端末は直接接続状態においてＲＬＦが発生し、直接接続状態においてアクセスネットワーク装置と接続を再確立する。下記実施例では、端末が中継接続状態においてＲＬＦが発生し、直接接続状態においてアクセスネットワーク装置と接続を再確立することのみを例として例示的に説明し、本発明に対する限定を構成しない。
【００５６】
アクセスネットワーク装置にＲＬＦの発生の具体的な理由を知らせ、後でアクセスする端末を最適化して管理するように、端末は接続を再確立した後、無線リソース制御接続再確立完了メッセージで、端末側にＲＬＦメッセージが記憶されていることを識別する。
【００５７】
一つの可能な実施形態では、端末はＲＲＣＣｏｎｎｅｃｔｉｏｎＲｅｅｓｔａｂｌｉｓｈｍｅｎｔＣｏｍｐｌｅｔｅにｒｌｆ−ＩｎｆｏＡｖａｉｌａｂｌｅ識別子を設定し、端末側にＲＬＦメッセージが記憶されていることを識別する。
【００５８】
それに対応して、アクセスネットワーク装置は、無線リソース制御接続再確立完了メッセージから該識別子を識別した後、アクセスネットワーク装置へ端末情報リクエストを送信し、端末によって生成されたＲＬＦメッセージをリクエストする。
【００５９】
一つの可能な実施形態では、アクセスネットワーク装置は端末へＵＥＩｎｆｏｒｍａｔｉｏｎＲｅｑｕｅｓｔを送信し、ＵＥＩｎｆｏｒｍａｔｉｏｎＲｅｑｕｅｓｔのｒｌｆ−ＲｅｐｏｒｔＲｅｑ−ｒ９をＴＲＵＥに設定する。
【００６０】
ステップ２０３において、端末はアクセスネットワーク装置から送信された端末情報リクエストを受信する。
【００６１】
ステップ２０４において、端末はアクセスネットワーク装置へＲＬＦレポートを送信する。
【００６２】
一つの可能な実施形態では、ｒｌｆ−ＲｅｐｏｒｔＲｅｑ−ｒ９がＴＲＵＥであることを識別する場合、端末はアクセスネットワーク装置へＵＥＩｎｆｏｒｍａｔｉｏｎＲｅｓｐｏｎｓｅを送信し、該ＵＥＩｎｆｏｒｍａｔｉｏｎＲｅｓｐｏｎｓｅに生成されたＲＬＦレポートが含まれる。
【００６３】
ステップ２０５において、アクセスネットワーク装置は端末から送信されたＲＬＦレポートを受信する。
【００６４】
アクセスネットワーク装置は、ＲＬＦレポートを受信した後、該ＲＬＦレポートを解析し、それによって他の類似する無線環境に位置する端末を最適化して管理し、このような端末のアクセス品質を向上させるように、無線環境の関連情報に基づき、ＲＦＬが発生する時の端末が位置する無線環境を確定する。
【００６５】
一つの可能な実施形態では、アクセスネットワーク装置と端末は、接続状態識別子を搬送するためのＲＬＦレポートのプリセットフィールドを予め定める。ＲＬＦレポートを受信した後、端末はプリセットフィールドにおける接続状態識別子を解析し、それによってＲＬＦが発生する前の端末の接続状態を確定する。例えば、プリセットフィールドにおける接続状態識別子が１として解析される場合、アクセスネットワーク装置は、端末が中継接続状態においてＲＬＦが発生することを確定し、プリセットフィールドにおける接続状態識別子が０として解析される場合、アクセスネットワーク装置は端末が直接接続状態においてＲＬＦが発生することを確定する。
【００６６】
選択可能に、解析された接続状態識別子が、端末が中継接続状態においてＲＬＦレポートを送信することを示す場合、アクセスネットワーク装置はさらにＲＬＦレポートに含まれる中継情報を取得し、ここで、該中継情報に、ＲＬＦが発生する前の端末にサービスする中継装置の中継情報、及び／又は、端末が位置する無線環境における他の中継装置（サービスしない中継装置）の中継情報が含まれる。
【００６７】
上述したように、本発明の実施例では、端末はＲＬＦが発生した後、ＲＬＦが発生したときの端末が位置する無線環境を示すためのＲＬＦレポートを生成し、アクセスネットワーク装置から送信された端末情報リクエストに応じて、該ＲＬＦレポートをアクセスネットワーク装置に送信し、これにより、アクセスネットワーク装置は、後で該無線環境に基づいて他のアクセスされた端末を最適化して管理し、端末のアクセス品質を向上させるように、該ＲＬＦレポートに基づき、ＲＬＦが発生したときの端末が位置する無線環境を識別することができる。
【００６８】
受信されたＲＬＦレポートに基づき、アクセスネットワーク装置は、中継接続状態においてＲＬＦが発生する端末の位置する無線環境を確定する。選択可能に、ＲＬＦレポートを受信した後、アクセスネットワーク装置はさらに各端末（中継接続状態にあり、そしてＲＬＦが発生しない）から報告された無線環境情報を取得し、該無線環境情報に示される無線環境とＲＬＦが発生する端末の位置する無線環境が類似することが検出された場合（ＲＬＦが発生する可能性が高い）場合、端末を現在の接続している中継装置から能動的に切断し、該端末のための中継接続を再確立する。以下に例示的な実施例を用いて説明する。
【００６９】
図３を参照し、それが本発明の別の実施例によるレポート送信方法のフローチャートである。本実施例は該レポート送信方法が図１に示す移動通信システムに応用されることを例として説明する。該方法は以下を含む。
【００７０】
ステップ３０１において、中継接続状態にある場合、端末はアクセスネットワーク装置へ無線環境情報を報告する。
【００７１】
選択可能に、該無線環境情報は第一の無線環境情報と第二の無線環境情報を含み、ここで、第一の無線環境情報が（端末が位置する無線環境における）端末と中継装置の接続状況を示すことに用いられ、第二の無線環境情報が（端末が位置する無線環境における）中継装置とアクセスネットワーク装置の接続状況を示すことに用いられる。
【００７２】
例示的に、ＬＴＥシステムでは、該第一の無線環境情報はＰＣ５中継環境情報であり、選択可能に、該ＰＣ５中継環境情報に、サービスする中継装置（端末とＰＣ５インタフェースを介して無線接続を確立し、端末にサービスを提供する）の識別子及びサービスしない中継端末（端末にサービスを提供しない）の識別子が含まれる。選択可能に、該ＰＣ５中継環境情報は、さらに端末とサービスする中継装置の間のリンクのリンク品質、サービスする中継装置のアドレス情報、サービスしない中継装置のアドレス情報又は端末とサービスしない各中継装置の間のリンクのリンク品質のうちの少なくとも一つを含む。それに対応して、ＬＴＥシステムでは、該第二の無線環境情報はＵｕ中継環境情報であり、該Ｕｕ中継環境情報に、サービスする中継端末とアクセスネットワーク装置の間のリンクのリンク品質が含まれる。
【００７３】
一つの例示的な例では、端末がアクセスネットワーク装置に報告する無線環境情報は表１に示される。
【表１】
2020519107.tif 000003
【００７４】
一つの可能な実施形態では、端末は、予め設定された時間間隔ごとに第一の無線環境情報を取得し、それにサービスする中継装置から報告された第二の無線環境情報を受信する。本発明の実施例は端末が無線環境情報を取得する具体的な方式を限定しない。
【００７５】
ステップ３０２において、アクセスネットワーク装置は各端末から報告された無線環境情報を受信し、記憶する。
【００７６】
それに対応して、アクセスネットワーク装置は各端末から報告された無線環境情報を受信し、後で呼びだすように無線環境情報を端末に関連付けて記憶する。
【００７７】
ステップ３０３において、ＲＬＦが発生したときに、端末がＲＬＦレポートを生成し、ＲＬＦレポートはＲＬＦが発生したときに端末が位置する無線環境の関連情報を含む。
【００７８】
アクセスネットワーク装置が、ＲＬＦが発生する端末の位置する無線環境とＲＬＦが発生しない端末の位置する無線環境との類似度を検出することが容易になるために、一つの可能な実施形態では、端末によって生成されたＲＬＦレポートにＲＬＦが発生したときの端末の接続状態を示すための接続状態識別子が含まれる以外、端末はＲＬＦが発生する前に、それにサービスする中継装置の情報を収集し、該情報を第一の中継情報としてＲＬＦレポートに追加する。
【００７９】
選択可能に、該第一の中継情報に以下の情報のうちの少なくとも一つが含まれる。
【００８０】
１．サービスする中継装置のアドレス情報。
【００８１】
端末が中継接続状態にある場合、端末の位置する無線環境に少なくとも一つの中継装置が含まれ、そして少なくとも一つの中継装置のうちの一つの中継装置が端末と無線接続を確立し、端末のリピータとしてアクセスネットワーク装置と通信し、該中継装置がサービスする中継装置であり、残りの隣接する中継装置が隣接する中継装置（サービスしない）である。端末はＲＬＦが発生する前（例えば中継接続状態になる時）に、該サービスする中継装置のアドレス情報を取得する。選択可能に、該アドレス情報は、サービスする中継装置が位置するセルのセル識別子である。
【００８２】
例示的に、図４に示すように、ＲＬＦが発生する前の端末３３が位置する無線環境に、それにサービスする中継装置３２ｂ及び隣接する中継装置３２ａ及び３２ｃ（それにサービスしない）が含まれる。端末３３はＲＬＦが発生する前に、該中継装置３２ｂのアドレス情報を取得する。
【００８３】
一つの例示的な例では、ＬＴＥシステムでは、端末はＲＬＦが発生する前のＰＣ５  ｒｅｌａｙ  ＵＥのアドレス情報を、サービスする中継装置のアドレス情報とする。
【００８４】
２．端末のアドレス情報。
【００８５】
アクセスネットワーク装置にＲＬＦが発生したときの端末の位置を知らせるために、端末はそれ自体のアドレス情報を第一の中継情報とする。一つの例示的な例では、ＬＴＥシステムでは、端末は、ＲＬＦが発生する前のｒｅｍｏｔｅ  ＵＥのアドレス情報を、端末のアドレス情報とする。
【００８６】
３．第一のリンク品質情報であって、第一のリンク品質情報はサービスする中継装置と端末の間のリンクのリンク品質を示すことに用いられる。
【００８７】
アクセスネットワーク装置に端末とサービスする中継装置の間のリンク状況を知らせるために、端末はサービスする中継装置と無線接続を確立した後、サービスする中継装置とのリンクのリンク品質を収集し、該リンク品質を第一のリンク品質情報とする。ここで、該リンク品質はＲＳＲＰ及び／又はＲＳＲＱなどであり、本発明の実施例はリンク品質の具体的な表現方式を限定しない。
【００８８】
例示的に、図４に示すように、端末３３は中継装置３２ｂとのリンクのＲＳＲＰとＲＳＲＱを収集し、第一のリンク品質情報とする。
【００８９】
一つの例示的な例では、ＬＴＥシステムにおいて、端末はＰＣ５  ｒｅｌａｙ  ＵＥとのＰＣ５リンクのリンク品質を第一のリンク品質情報とする。
【００９０】
４．第二のリンク品質情報であって、第二のリンク品質情報は、サービスする中継装置とアクセスネットワーク装置の間のリンクのリンク品質を示すことに用いられる。
【００９１】
アクセスネットワーク装置に、サービスする中継装置とアクセスネットワーク装置の間のリンク状況を知らせるために、端末は、サービスする中継装置を介してアクセスネットワーク装置と無線接続を確立した後、サービスする中継装置とアクセスネットワーク装置の間のリンクのリンク品質を取得し、該リンク品質を第二のリンク品質情報とし、ここで、該リンク品質がＲＳＲＰ又はＲＳＲＱなどであり、本発明の実施例はリンク品質の具体的な表現方式を限定しない。
【００９２】
例示的に、図４に示すように、端末３３は中継装置３２ｂとアクセスネットワーク装置３１の間のリンクのＲＳＲＰとＲＳＲＱを取得し、第二のリンク品質情報とする。
【００９３】
一つの例示的な例では、ＬＴＥシステムにおいて、端末はＰＣ５  ｒｅｌａｙ  ＵＥとｅＮＢの間のＵｕリンクのリンク品質を第二のリンク品質情報とする。
【００９４】
説明すべきものとして、本実施例は第一の中継情報に上記情報が含まれることのみを例として例示的に説明し、実際の実施プロセスにおいて、該第一の中継情報に、サービスする中継装置と関連する多くの情報が含まれてもよく、本発明はこれに限定されない。
【００９５】
ＲＬＦが発生する前の端末が位置する無線環境をより正確に説明するために、一つの可能な実施形態では、端末によって生成されたＲＬＦレポートに第二の中継情報が含まれ、該第二の中継情報はＲＬＦが発生する前の端末に対応する隣接中継装置の情報を示すことに用いられ、ここで、該隣接中継装置が端末と隣接し、そして端末にサービスする。
【００９６】
選択可能に、該第二の中継情報に第三のリンク品質情報が含まれ、該第三のリンク品質情報が端末と各隣接中継装置の間のリンクのリンク品質を示すことに用いられる。
【００９７】
例示的に、図４に示すように、中継装置３２ａと中継装置３２ｃは端末３３に対応する隣接中継装置であり、端末３３は中継装置３２ａと中継装置３２ｃの間のリンクのリンク品質を第三のリンク品質情報として確定する。ここで、該リンク品質はＲＳＲＰ及び／又はＲＳＲＱなどである。
【００９８】
一つの例示的な例では、ＬＴＥシステムにおいて、端末はＰＣ５  ｒｅｌａｙ  ＵＥとｅＮＢの間のＵｕリンクのリンク品質を第二のリンク品質情報とする。
【００９９】
端末と各隣接中継装置の間のリンク品質を取得する方式に対して、一つの可能な実施形態では、端末は中継装置と無線接続を確立する前に、基準信号の送受信品質に基づいて各中継装置とのリンクのリンク品質を取得し、記憶する。
【０１００】
説明すべきものとして、本実施例は第二の中継情報に上記情報が含まれることのみを例として例示的に説明し、実際の実施プロセスにおいて、該第二の中継情報に、隣接中継装置と関連する多くの情報が含まれてもよく、本発明はこれに限定されない。
【０１０１】
上記ステップにより、端末によって生成されたＲＬＦレポートが強くなり、ＲＬＦが発生する前の端末の接続状態を示すことができるだけでなく、含まれる中継情報によって端末の位置する無線環境を記述することができる。アクセスネットワーク装置は該ＲＬＦレポートを受信した後、類似する無線環境に位置する端末を最適化して管理することができる。
【０１０２】
ステップ３０４において、アクセスネットワーク装置は端末へ端末情報リクエストを送信し、端末情報リクエストが端末によって生成されたＲＬＦレポートを取得することに用いられる。
【０１０３】
ステップ３０５において、端末はアクセスネットワーク装置から送信された端末情報リクエストを受信する。
【０１０４】
ステップ３０６において、端末はアクセスネットワーク装置へＲＬＦレポートを送信する。
【０１０５】
ステップ３０７において、アクセスネットワーク装置は端末から送信されたＲＬＦレポートを受信する。
【０１０６】
上記ステップ３０４〜３０７の実施形態はステップ２０２〜２０５と類似し、本実施例において説明を省略する。
【０１０７】
ステップ３０８において、アクセスネットワーク装置は無線環境情報を取得する。
【０１０８】
上記ステップ３０１において、アクセスネットワーク装置は、各端末から報告された無線環境情報を受信して記憶し、端末から送信されたＲＬＦレポートを受信した後、該無線環境情報を取得し、該無線環境情報とＲＬＦレポートに基づき、類似する無線環境に位置する端末が存在するか否かを確定する。
【０１０９】
ステップ３０９において、アクセスネットワーク装置はＲＬＦレポートと無線環境情報に基づき、端末が位置する無線環境の類似度を計算する。
【０１１０】
受信されたＲＬＦレポートに基づき、アクセスネットワーク装置は、ＲＬＦが発生したときの端末が位置する無線環境情報を確定することができ、端末から報告された無線環境情報に基づき、アクセスネットワーク装置は、各端末（ＲＬＦが発生しない）のそれぞれの位置する無線環境を確定することができる。したがって、ＲＬＦレポートと無線環境情報に基づき、アクセスネットワーク装置はさらに異なる端末の位置する無線環境の類似度を計算し、ＲＬＦが発生しない端末の後のＲＬＦ発生のリスク程度を確定することができる。端末の位置する無線環境の類似度が高い場合、アクセスネットワーク装置は、該端末のＲＬＦ発生リスクが高いことを確定し、下記のステップ３１０を実行し、端末の位置する無線環境の類似度が低い場合、アクセスネットワーク装置は該端末のＲＬＦ発生リスクが低いことを確定し、端末の現在の接続状態を維持する。
【０１１１】
一つの可能な実施形態では、アクセスネットワーク装置は、ＲＬＦレポートと第一の無線環境情報に基づいて第一の無線サブ環境（端末と中継装置の間の無線環境）の第一の類似度を計算し、及び／又は、ＲＬＦレポートと第二の無線環境情報に基づいて第二の無線サブ環境（中継装置とアクセスネットワーク装置の間の無線環境）の第二の類似度を計算し、それによって第一の類似度及び／又は第二の類似度に基づいて異なる端末の位置する無線環境の類似度を計算する。
【０１１２】
一つの例示的な例では、ＬＴＥシステムにおいて、アクセスネットワーク装置はＲＬＦレポートに基づき、ＲＬＦが発生する端末と中継装置から構成される第一のＰＣ５中継無線環境を確定し、第一の無線環境情報に基づき、ＲＬＦが発生しない端末と中継装置から構成される第二のＰＣ５中継無線環境を確定し、第一のＰＣ５中継無線環境と第二のＰＣ５中継無線環境との類似度を計算することにより、アクセスネットワーク装置は２つの端末が類似するＰＣ５中継無線環境に位置するか否かを確定することができる。
【０１１３】
同様に、アクセスネットワーク装置はＲＬＦレポートに基づき、中継装置とアクセスネットワーク装置から構成される第一のＵｕ中継無線環境（ＲＬＦが発生する端末に対応する）を確定し、第二の無線環境情報に基づき、中継端末装置とアクセスネットワーク装置から構成される第二のＵｕ中継無線環境（ＲＬＦが発生しない端末に対応する）を確定し、第一のＵｕ中継無線環境と第二のＵｕ中継無線環境との類似度を計算することにより、アクセスネットワーク装置は２つの端末が類似するＵｕ中継無線環境に位置するか否かを確定することができる。
【０１１４】
ステップ３１０において、類似度が閾値より大きい場合、アクセスネットワーク装置は端末に中継装置を新たに割り当てる。
【０１１５】
ＲＬＦが発生しない端末とＲＬＦが発生した端末の位置する無線環境の類似度が閾値より大きい場合、アクセスネットワーク装置は、該端末の後のＲＬＦ発生のリスクが高いことを確定し、該端末のＲＬＦの発生を回避するために、アクセスネットワーク装置は該端末を現在のサービスしている中継装置から能動的に切断し、端末に中継装置を新たに割り当て、これにより類似するＲＬＦ状況の発生を回避する。
【０１１６】
上述したように、本発明の実施例では、端末はＲＬＦが発生した後、ＲＬＦが発生したときの端末が位置する無線環境を示すためのＲＬＦレポートを生成し、アクセスネットワーク装置から送信された端末情報リクエストに応じて、該ＲＬＦレポートをアクセスネットワーク装置に送信し、これにより、アクセスネットワーク装置は、後で該無線環境に基づいて他のアクセスされた端末を最適化して管理し、端末のアクセス品質を向上させるように、該ＲＬＦレポートに基づき、ＲＬＦが発生したときの端末が位置する無線環境を識別することができる。
【０１１７】
本実施例では、アクセスネットワーク装置は、各端末から報告された無線環境情報を取得し、端末から送信されたＲＬＦレポートを受信した後、該無線環境情報とＲＬＦレポートに基づいて類似環境に位置する端末を確定し、このような端末のための中継接続を再確立し、これにより、このような端末のＲＬＦの発生を回避し、端末の接続品質を向上させる。
【０１１８】
説明すべきものとして、本発明の各実施例では、端末を実行本体とするステップが端末側のレポート送信方法として個別に実現されてもよく、アクセスネットワーク装置を実行本体とするステップはアクセスネットワーク装置側のレポート受信方法として実現されてもよく、本発明はここで説明を省略する。
【０１１９】
以下は本発明の実施例における装置の実施例であり、装置の実施例における詳細に説明されない部分については、上記方法の実施例で開示された技術的詳細を参照することができる。
【０１２０】
図５を参照し、それが本発明の一つの実施例によるレポート送信装置の構造図である。該レポート送信装置は、ソフトウェア、ハードウェア及び両者の組み合わせにより、端末の全部又は一部として実現されてもよい。該レポート送信装置は、レポート生成ユニット５２０、リクエスト受信ユニット５４０とレポート送信ユニット５６０を備える。
【０１２１】
レポート生成ユニット５２０は、上記ステップ２０１、３０３及びレポート生成ステップに関連する機能を実行するように構成され、
リクエスト受信ユニット５４０は、上記ステップ２０３、３０５及びリクエスト受信ステップに関連する機能を実行するように構成され、
レポート送信ユニット５６０は、上記ステップ２０４、３０６及びレポート送信ステップに関連する機能を実行するように構成される。
【０１２２】
選択可能な実施例では、該装置はさらに情報報告ユニットを備える。
【０１２３】
情報報告ユニットは上記ステップ３０１及び情報報告ステップに関連する機能を実行するように構成される。
【０１２４】
図６を参照し、それが本発明の一つの実施例によるレポート受信装置の構造図である。該レポート受信装置は、ソフトウェア、ハードウェア及び両者の組み合わせにより、アクセスネットワーク装置の全部又は一部として実現されてもよい。該レポート受信装置は、リクエスト送信ユニット６２０とレポート受信ユニット６４０を備える。
【０１２５】
リクエスト送信ユニット６２０は、上記ステップ２０２、３０４及びリクエスト送信ステップに関連する機能を実行するように構成され、
レポート受信ユニット６４０は、上記ステップ２０５、３０７及びレポート受信ステップに関連する機能を実行するように構成される。
【０１２６】
選択可能な実施例では、該装置はさらに情報取得ユニット、計算ユニットと割り当てユニットを備える。
【０１２７】
情報取得ユニットは、上記ステップ３０８及び情報取得ステップに関連する機能を実行するように構成され、
計算ユニットは、上記ステップ３０９及び計算ステップに関連する機能を実行するように構成され、
割り当てユニットは、上記ステップ３１０及び割り当てステップに関連する機能を実行するように構成される。
【０１２８】
図７を参照し、それが本発明の一つの例示的な実施例による端末の構造図である。該端末はプロセッサ２１、受信機２２、送信機２３、メモリ２４とバス２５を備える。
【０１２９】
プロセッサ２１は、一つ又は一つ以上の処理コアを含み、プロセッサ２１はソフトウェアプログラム及びモジュールを実行することにより、各種の機能アプリケーション及び情報処理を実行する。
【０１３０】
受信機２２と送信機２３は、一つの通信コンポーネントとして実現されてもよく、該通信コンポーネントが一枚の通信チップであってもよく、通信チップは、情報を変調及び／又は復調し、無線信号によって該情報を受信又は送信するための受信モジュール、送信モジュールとモデムモジュールなどを含むことができる。
【０１３１】
メモリ２４はバス２５を介してプロセッサ２１に接続される。
【０１３２】
メモリ２４はソフトウェアプログラム及びモジュールを記憶することに用いられてもよい。
【０１３３】
メモリ２４は少なくとも一つの機能によって記述されたるアプリケーションプログラムモジュール２６を記憶することができる。アプリケーションプログラムモジュール２６はレポート生成モジュール２６１、リクエスト受信モジュール２６２とレポート送信モジュール２６３を含むことができる。
【０１３４】
プロセッサ２１はレポート生成モジュール２６１を実行して上記各方法の実施例におけるレポート生成ステップに関連する機能を実行することに用いられ、プロセッサ２１はリクエスト受信モジュール２６２を実行して上記各方法の実施例におけるリクエスト受信ステップに関連する機能を実行することに用いられ、プロセッサ２１はレポート送信モジュール２６３を実行して上記各方法の実施例におけるレポート送信ステップに関連する機能を実行することに用いられる。
【０１３５】
選択可能に、アプリケーションプログラム２６はさらに情報報告モジュールを含むことができ、プロセッサ２１は情報報告モジュールを実行して上記各方法の実施例における情報報告ステップに関連する機能を実行することに用いられる。
【０１３６】
また、メモリ２４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【０１３７】
図８を参照し、それが本発明の一つの例示的な実施例によるアクセスネットワーク装置の構造図である。該アクセスネットワーク装置はプロセッサ２１、受信機２２、送信機２３、メモリ２４とバス２５を備える。
【０１３８】
プロセッサ２１は、一つ又は一つ以上の処理コアを含み、プロセッサ２１はソフトウェアプログラム及びモジュールを実行することにより、各種の機能アプリケーション及び情報処理を実行する。
【０１３９】
受信機２２と送信機２３は、一つの通信コンポーネントとして実現されてもよく、該通信コンポーネントが一枚の通信チップであってもよく、通信チップが情報を変調及び／又は復調し、無線信号によって該情報を受信又は送信するための受信モジュール、送信モジュールとモデムモジュールなどを含むことができる。
【０１４０】
メモリ２４はバス２５を介してプロセッサ２１に接続される。
【０１４１】
メモリ２４はソフトウェアプログラム及びモジュールを記憶することに用いられてもよい。
【０１４２】
メモリ２４は少なくとも一つの機能によって記述されたるアプリケーションプログラムモジュール２６を記憶することができる。アプリケーションプログラムモジュール２６はリクエスト送信モジュール２６１とレポート受信モジュール２６２を含むことができる。
【０１４３】
プロセッサ２１はリクエスト送信モジュール２６１を実行して上記各方法の実施例におけるリクエスト送信ステップに関連する機能を実行することに用いられ、プロセッサ２１はレポート受信モジュール２６２を実行して上記各方法の実施例におけるレポート受信ステップに関連する機能を実行することに用いられる。
【０１４４】
選択可能に、アプリケーションプログラムモジュール２６はさらに情報取得モジュール、計算モジュールと割り当てモジュールを含む。
【０１４５】
プロセッサ２１は情報取得モジュールを実行して上記各方法の実施例における情報取得ステップに関連する機能を実行することに用いられ、プロセッサ２１は計算モジュールを実行して上記各方法の実施例における計算ステップに関連する機能を実行することに用いられ、プロセッサ２１は割り当てモジュールを実行して上記各方法の実施例における割り当てステップに関連する機能を実行することに用いられる。
【０１４６】
また、メモリ２４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【０１４７】
当業者は、上述した一つ又は一つ以上の例において、本発明の実施例で説明された機能がハードウェア、ソフトウェア、ファームウェア又はそれらの任意の組み合わせによって実行されてもよいことを理解することができる。ソフトウェアで実行される場合、これらの機能がコンピュータ可読媒体に記憶されてもよく、又はコンピュータ可読媒体における一つ又は一つ以上の命令又はコードとして伝送されてもよい。コンピュータ可読媒体はコンピュータ記憶媒体と通信媒体を含み、ここで通信媒体が一つの箇所から別の箇所へのコンピュータプログラムの伝送を容易にする任意の媒体を含む。記憶媒体は汎用又は専用コンピュータにアクセスされることができる任意の利用可能な媒体であってもよい。
【０１４８】
上記は本発明の好ましい実施例に過ぎず、本発明を限定するためのものではなく、本発明の精神及び原則から逸脱することなく行われるあらゆる変更、同等置き換え、改良などは、いずれも本発明の保護範囲内に含まれるべきである。
【図１】
2020519107.tif 000004
【図２】
2020519107.tif 000005
【図３】
2020519107.tif 000006
【図４】
2020519107.tif 000007
【図５】
2020519107.tif 000008
【図６】
2020519107.tif 000009
【図７】
2020519107.tif 000010
【図８】
2020519107.tif 000011
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
レポート送信方法であって、
無線リンク障害（ＲＬＦ）が発生したときに、端末がＲＬＦレポートを生成することであって、前記ＲＬＦレポートはＲＬＦが発生したときに前記端末が位置する無線環境の関連情報を含むことと、
前記端末がアクセスネットワーク装置から送信された端末情報リクエストを受信することであって、前記端末情報リクエストが前記端末によって生成された前記ＲＬＦレポートを取得することに用いられることと、
前記端末が前記アクセスネットワーク装置へ前記ＲＬＦレポートを送信することとを含むことを特徴とする、前記レポート送信方法。
【請求項２】
前記ＲＬＦレポートに接続状態識別子が含まれ、前記接続状態識別子は、ＲＬＦが発生したときの前記端末の無線環境での接続状態を示すことに用いられ、前記接続状態が中継接続状態と直接接続状態を含むことを特徴とする
請求項１に記載の方法。
【請求項３】
前記ＲＬＦレポートに第一の中継情報が含まれ、前記第一の中継情報は、ＲＬＦが発生する前に、前記端末にサービスする中継装置の情報を示すことに用いられることを特徴とする
請求項１又は２に記載の方法。
【請求項４】
前記第一の中継情報は、
前記サービスする中継装置のアドレス情報、
及び／又は、
前記端末のアドレス情報、
及び／又は、
前記サービスする中継装置と前記端末の間のリンクのリンク品質を示すための第一のリンク品質情報、
及び／又は、
前記サービスする中継装置と前記アクセスネットワーク装置の間のリンクのリンク品質を示すための第二のリンク品質情報を含むことを特徴とする
請求項３に記載の方法。
【請求項５】
前記ＲＬＦレポートに第二の中継情報が含まれ、前記第二の中継情報は、ＲＬＦが発生する前に、前記端末に対応する隣接中継装置の情報を示すことに用いられ、前記隣接中継装置が前記端末と隣接し、そして前記端末にサービスしないことを特徴とする
請求項１又は２に記載の方法。
【請求項６】
前記第二の中継情報は、第三のリンク品質情報を含み、前記第三のリンク品質情報が前記端末と各隣接中継装置の間のリンクのリンク品質を示すことに用いられることを特徴とする
請求項５に記載の方法。
【請求項７】
前記方法はさらに、
前記端末が中継接続状態にある場合、前記端末が前記アクセスネットワーク装置に無線環境情報を報告することであって、前記無線環境情報が第一の無線環境情報と第二の無線環境情報を含むこととを含み、
ここで、前記第一の無線環境情報が前記端末と中継装置の接続状況を示すことに用いられ、前記第二の無線環境情報が中継装置とアクセスネットワーク装置の接続状況を示すことに用いられることを特徴とする
請求項１−６のいずれか一項に記載の方法。
【請求項８】
レポート受信方法であって、
アクセスネットワーク装置が端末へ端末情報リクエストを送信することであって、前記端末情報リクエストが前記端末によって生成された無線リンク障害（ＲＬＦ）レポートを取得することに用いられ、前記ＲＬＦレポートはＲＬＦが発生したときに前記端末が位置する無線環境の関連情報を含むことと、
前記アクセスネットワーク装置が前記端末から送信された前記ＲＬＦレポートを受信することとを含むことを特徴とする、前記レポート受信方法。
【請求項９】
前記ＲＬＦレポートに接続状態識別子が含まれ、前記接続状態識別子はＲＬＦが発生したときの前記端末の無線環境での接続状態を示すことに用いられ、前記接続状態が中継接続状態と直接接続状態を含むことを特徴とする
請求項８に記載の方法。
【請求項１０】
前記ＲＬＦレポートに第一の中継情報が含まれ、前記第一の中継情報は、ＲＬＦが発生する前に、前記端末にサービスする中継装置の情報を示すことに用いられることを特徴とする
請求項８又は９に記載の方法。
【請求項１１】
前記第一の中継情報は、
前記サービスする中継装置のアドレス情報、
及び／又は、
前記端末のアドレス情報、
及び／又は、
前記サービスする中継装置と前記端末の間のリンクのリンク品質を示すための第一のリンク品質情報、
及び／又は、
前記サービスする中継装置と前記アクセスネットワーク装置の間のリンクのリンク品質を示すための第二のリンク品質情報を含むことを特徴とする
請求項１０に記載の方法。
【請求項１２】
前記ＲＬＦレポートに第二の中継情報が含まれ、前記第二の中継情報は、ＲＬＦが発生する前に、前記端末に対応する隣接中継装置の情報を示すことに用いられ、前記隣接中継装置が前記端末と隣接し、そして前記端末にサービスしないことを特徴とする
請求項８又は９に記載の方法。
【請求項１３】
前記方法はさらに、
前記アクセスネットワーク装置が無線環境情報を取得することであって、前記無線環境情報が中継接続状態にある各端末によって報告され、前記無線環境情報が第一の無線環境情報と第二の無線環境情報を含み、前記第一の無線環境情報が端末と中継装置の接続状況を示すことに用いられ、前記第二の無線環境情報が中継装置とアクセスネットワーク装置の接続状況を示すことに用いられることと、
前記アクセスネットワーク装置が前記ＲＬＦレポートと前記無線環境情報に基づき、端末が位置する無線環境の類似度を計算することと、
前記類似度が閾値より大きい場合、前記アクセスネットワーク装置が前記端末に中継装置を新たに割り当てることとを含むことを特徴とする
請求項８−１２のいずれか一項に記載の方法。
【請求項１４】
端末であって、
請求項１−７のいずれか一項に記載のレポート送信方法を実行するように構成されることを特徴とする、前記端末。
【請求項１５】
アクセスネットワーク装置であって、
請求項８−１３のいずれか一項に記載のレポート受信方法を実行するように構成されることを特徴とする、前記アクセスネットワーク装置。
【国際調査報告】
2020519107.tif 000012
2020519107.tif 000013
2020519107.tif 000014
2020519107.tif 000015